(57)【特許請求の範囲】
【請求項１】
マガジン本体と、帯状の未露光感光材料をロール状に巻回した感光材料ロールを回動不能に保持し前記マガジン本体に回動自在に収納される軸部材と、前記マガジン本体の同じ位置に設けられ、前記感光材科ロールから引き出された感光材料を前記マガジン本体外部との間で出し入れする出入り口と、を備え、前記軸部材を巻き戻し方向に回転させて前記出入り口から送り出した感光材科の少なくとも一部を前記マガジン本体内に戻すようにした感光材料用マガジンにおいて、
前記軸部材に取り付けられ、前記感光材科ロールの側縁を案内するフランジと、
前記フランジに設けられ、前記マガジン本体内に戻す時に前記感光材料の少なくとも一部を前記感光材料ロールから離した外周で巻き掛けるための複数の巻き掛け部材と、
前記感光材科ロールから前記複数の巻き掛け部材の間を通って前記出入り口から前記マガジン本体外部に感光材料を引き出す時には前記フランジと前記軸部材との相対回転を許容し、前記感光材科を前記マガジン本体へ巻き戻す時には前記フランジと前記軸部材とを供回りさせて前記複数の巻き掛け部材の外周に巻き取るように前記フランジと前記軸部材又は感光材料ロールとの間を摩擦結合により連結する連結手段と、
を備えたことを特徴とする感光材料用マガジン。
【請求項２】
前記巻き掛け部材を、前記感光材科ロール側へ向けて突出させた複数の巻き掛け棒から構成し、これら巻き掛け棒は前記フランジの縁部で周方向に離して配置されていることを特徴とする請求項１記載の感光材料用マガジン。
【請求項３】
前記巻き掛け棒は前記フランジに回動自在に取り付けられていることを特徴とする請求項２記載の感光材科用マガジン。
【請求項４】
前記フランジは、前記感光材料ロールを挟むように１対配置されており、前記巻き掛け部材は少なくとも一方のフランジに設けられていることを特徴とする請求項１ないし３いずれか１つ記載の感光材料用マガジン。
【請求項５】
前記巻き掛け棒が貫通する穴を他方のフランジに形成し、前記感光材料ロールを前記１対のフランジに挟んだ状態で前記巻き掛け棒を前記穴から貫通させたことを特徴とする請求項４記載の感光材料用マガジン。
【請求項６】
前記巻き掛け部材を、前記フランジの周方向で分断した複数個の円弧状突起から構成し、各円弧状突起の間から前記感光材料を前記出入り口に向けて出し入れすることを特徴とする請求項１記載の感光材料用マガジン。
【請求項７】
前記各円弧状突起の間でかつ円弧状突起に近接する位置で前記フランジに、感光材科が巻き掛けられるガイド棒を設けたことを特徴とする請求項６記載の感光材料用マガジン。
【請求項８】
前記フランジを、前記感光材科ロールを挟むように配置した第１及び第２のフランジから構成し、前記巻き掛け部材を前記フランジの周方向で分断された複数個の円弧状突起から構成し、これら円弧状突起が対面するように前記第１及び第２のフランジに分離して設け、各円弧状突起の間から前記感光材科を前記出入り口に向けて出し入れすることを特徴とする請求項１記載の感光材科用マガジン。
【請求項９】
前記各円弧状突起の間で円弧状突起に近接する位置でかつ前記フランジに、前記感光材科が巻き掛けられるガイド棒を設けたことを特徴とする請求項８記載の感光材料用マガジン。
【請求項１０】
前記ガイド棒が貫通する穴を他方のフランジに形成し、前記感光材料ロールを前記第１及び第２のフランジで挟んだ状態で前記ガイド棒を前記穴から貫通させたことを特徴とする請求項９記載の感光材料用マガジン。
【請求項１１】
前記感光材料ロールには、両側面を遮光する両側面用遮光部材が取り付けられていることを特徴とする請求項１ないし１０いずれか１つ記載の感光材料用マガジン。
【発明の詳細な説明】
【０００１】
【発明の属する技術分野】
本発明は、印画紙や写真フイルム等の長尺状の感光材料をロール状に収納するマガジンに関し、更に詳しくは遮光部材で覆った形態で感光材料を収納するマガジンに関するものである。
【０００２】
【従来の技術】
プリンタプロセッサには、ロール状に巻いた印画紙ロールを収納するマガジンがセットされる。マガジンは、印画紙ロールを収納する本体部と、本体部に対して開閉自在な蓋とからなる。本体部には、印画紙ロールを支持する支持軸が着脱自在に設けられている。支持軸は、軸方向に２分割された左及び右軸で構成され、これらは印画紙ロールの巻芯の開口に左右からそれぞれ挿入することで一体に結合される。左及び右軸には、印画紙ロールの両側に配置されるフランジがそれぞれ取り付けられる。
【０００３】
印画紙は、マガジンに収納するときにそのままでは露光してしまう。そこで、特開平６−１６１０５２号公報に記載のように、印画紙ロールは、ポリエチレンテレフタレート等の材料で形成されたシート状の遮光部材で覆われている。遮光部材は、リーダー用遮光部材と、一対の側面用遮光部材とからなる。リーダー用遮光部材は、帯状となっており、その後端が印画紙の先端に接合テープで接合されている。そして、印画紙と同じか又は僅かに広い幅となっており、ロール状の印画紙の最外周を覆って遮光する。一対の側面用遮光部材は、リーダー用遮光部材の幅方向の両端にそれぞれ接合されている。一対の側面用遮光部材は、印画紙ロールの両側面を包み込むように外端が巻芯の開口内に入れられて接合される。これにより、周面部の端から巻芯の開口に渡る両側面が遮光される。
【０００４】
リーダー用遮光部材と両側面部の遮光部材との接合部は、容易に破断することができるようになっている。これにより、リーダー用遮光部材の先端を引っ張ることで両側面用遮光部材から破断することができ、そのまま継続して引き出すとリーダー用遮光部材に続いて印画紙が引き出される。リーダー用遮光部材は、印画紙の先端がマガジンから引き出された後に切り取られる。
【０００５】
ここで、支持軸に印画紙ロールを取り付けた状態を図１８に示す。なお、同図では、符号１０がリーダー用遮光部材、符号１１，１２が両側面用遮光部材、符号１３が印画紙、符号１４が支持軸、符号１５，１６がフランジ、符号１７が巻芯を示している。そして、リーダー用遮光部材１０と両側面用遮光部材１１，１２との接合部を符号１８，１９で示している。
【０００６】
リーダー用遮光部材１０が取り除かれると、両側面用遮光部材１１，１２は、周面部に向けて折り返された破断片１１ａ，１２ａが残った状態でフランジ１５，１６と印画紙１３のロール端面との間に残される。
【０００７】
プリンタプロセッサは、印画紙をマガジンから引き出し、プリント処理を行う。プリント処理完了後には、印画紙をマガジンから引き出したままの状態にすると、印画紙が露光してしまう。このため、マガジンの支持軸を逆転させて先端がマガジン内、又は送出口の外部近傍位置まで来るように印画紙を巻き戻している。
【０００８】
【発明が解決しようとする課題】
しかしながら、印画紙を巻き戻すと、両側面用遮光部材１１，１２の破断片１１ａ，１２ａが残っているため、印画紙が破断片１１ａ，１２ａの上に巻かれる。このようになると、印画紙１３の幅方向の両端が破断片１１ａ，１２ａに擦れて傷等が付いてしまい、その後のプリント処理時に両端部で濃度が変化する等のプリント品質が低下するおそれがある。
【０００９】
また、ロール径が小さくなるほど印画紙１３は、巻き戻し時に両端とフランジ１５，１６との擦れ部分が長くなる。このため、印画紙１３の両端が長い範囲に渡って損傷し、前述したようにプリント品質が低下する恐れがある。
【００１０】
本発明は上記事実を考慮して成されたもので、巻き戻しのときに両端に生じる皺や傷等を防止するようにした感光材料用マガジンを提供することを目的とする
【００１１】
【課題を解決するための手段】
本願発明の感光材料用マガジンは、出入り口から引き出された一部の感光材料を印画紙ロールの外周で巻き掛ける巻き掛け部材を前記フランジに設けたものである。巻き掛け部材としては、感光材料側に向けて突出した巻き掛け棒や円弧状突起でもよい。巻き掛け棒の場合には、フランジの外周縁部に沿って複数配列して設け、これらの上に巻き戻した印画紙が巻き掛けられる。また、フランジとしては、感光材料ロールの片側に１個、若しくは両側に一対設けてもよい。両方設ける場合には、巻き掛け部材を一方のフランジのみに設けてもよいし、また両方に設けてもよい。そして、一方又は両方のフランジに巻き掛け部材を設ける場合には、巻き掛け部材で一対のフランジを連結して互いの回転を同期させるようにしてもよい。
【００１２】
フランジと軸部材との間には、感光材料をマガジンから送り出すときにフランジを軸部材に対してフリーとし、また逆に巻き戻すときには軸部材に対してフランジを供回りさせる連結手段を設けている。連結手段としては、一方向クラッチや摩擦伝達機構などを用いることができる。
【００１３】
巻き掛け部材を円弧状突起とした場合には、その外周に巻き戻した印画紙が巻き掛けられる。円弧状突起をフランジの周縁に沿って全周に設けた場合には、その周方向のうちの１箇所又は複数箇所を切り欠いて感光材料をロール部から出入り口に導くための引き出し口を形成する。複数の円弧状突起をフランジの周方向に所定の隙間を空けて並設する場合には、これらの間を引き出し口として使用する。
【００１４】
印画紙の送り出し又は巻き戻し時に、引き出し口の両側に接して印画紙に傷を付けるおそれがある。そこで、引き出し口の両側に、印画紙が引き出し口の両側に接しないようにガイド棒を設けるのが好適である。このガイド棒の取り付けとしては、一対のフランジのうちの少なくとも一方又は両方に、引き出し口の両縁でかつ感光材料側に向けて突出して設けるのが好適である。そして、これらガイド棒で一対のフランジを連結してもよい。
【００１５】
円弧状突起をフランジの周方向に沿って分断して分断した円弧状突起を一対のフランジにそれぞれ振り分けて設けてもよい。この場合は、各円弧状突起に切り欠き部を設け、これら切り欠き部が対向して配されることで引き出し口を形成するように構成するのが望ましい。このとき、互いのフランジが回転方向のうちの相反方向にズレて印画紙を挟み込むような不都合を防止するために、一方のフランジに設けたガイド棒の先端を他方フランジの穴に挿通して互いのフランジの周方向へのズレを防止するように構成する。
【００１６】
【発明の実施の形態】
本発明の感光材料用マガジン２０は、図１に示すように、マガジン本体２０ａ，一対のフランジ２４，２５、及び支持軸２６から構成されており、支持軸２６には印画紙ロール２３が取り付けられ、マガジン本体２０ａ内に収納される。マガジン本体２０ａは、本体部２１、及び蓋２２からなる。支持軸２６は、軸方向に２分割した左軸２７と右軸２８とから構成されている。本体部２１には、蓋２２が開閉自在に設けられている。蓋２２及び本体部２１には、それぞれ出口ガイド２９，３０が形成されており、閉じたときにこれら出口ガイド２９，３０により印画紙送出用の出入り口３１を構成する。また、蓋２２及び本体部２１には、支持軸２６を回転自在に支持する軸受け部３２，３３が両側に設けられている。また、蓋２２及び本体部２１には、両側にバックル３５，３６が設けられており、マガジン本体２０ａはバックル３５，３６を締めることで内部が確実に遮光される。出口ガイド３０の奥には、印画紙が蛇行しないようにガイドする両端ガイド部材３０ａや補助ローラ３０ｂ等が設けられている。
【００１７】
左軸２７及び右軸２８は、それぞれ一端側２７ａ，２８ａが軸受け部３２，３３に支持され、他端側が互いに係合して１本の軸に連結される。これら左及び右軸２７，２８には、印画紙ロール２３を両側から挟むように、フランジ２４，２５がそれぞれ取り付けられる。
【００１８】
巻芯用軸受け部３７，３８には、外周の一部を凹ました部位にネジ穴が形成されている。印画紙ロール２３は、プリントサイズに合わせて幅の異なるものが複数種類用意されている。フランジ２４，２５は、使用する幅に合うように、左及び右軸２７，２８の軸方向のうちの任意の位置にネジ等の固着手段で取り付けることができる。
【００１９】
巻芯用軸受け部３７，３８は、詳しくは図２及び図３に示すように、鍔部３８ｂを挟んだ両側に軸部３８ａとフランジ支持部３８ｃとを一体に形成した構造となっている。なお、巻芯用軸受け部３７，３８及びフランジ２４，２５は、それぞれ互いが同じ形状となっており、左右対称に配置されるだけであるため、以下では巻芯用軸受け部３８とフランジ２５との取り付けについて説明し、巻芯用軸受け部３７とフランジ２４との取り付けについては説明を省略する。巻芯用軸受け部３８の鍔部３８ｂには、印画紙ロール２３を挟み付ける面３８ｄをもっており、フランジ２５はフランジ支持部３８ｃに回転自在に取り付けられている。巻芯用軸受け部３７，３８は、左及び右軸２７，２８が挿通される挿通孔３８ｅをもっており、また、軸部３８ａの外周が印画紙ロール２３の巻芯２３ａの両端開口に入り込み、回転中心がずれないように巻芯２３ａを支持する。なお、軸部３８ａの外周は、巻芯２３ａに対して容易に挿脱することができるように、巻芯２３ａへの挿入方向に向けて小径となるテーパ面となっている。
【００２０】
軸部３８ａは、巻芯２３ａの開口に挿入され、印画紙ロール２３を回動不能に支持する。フランジ支持部３８ｃには、フランジ２５に設けた開口２５ａが軸方向から挿入される。フランジ２５の外側面２５ｂには、開口２５ａの周りにベアリング３４が周方向の３分割位置にそれぞれ設けられている。ベアリング３４は、フランジ支持部３８ｃに対してフランジ２５を回転自在に支持する。鍔部３８ｂには、フランジ２５の内側面２５ｃが当接し、鍔部３８ｂは、内側面２５ｃとの間の摩擦抵抗によりフランジ２５を供回りさせる。なお、フランジ２４，２５としては、円板形状以外に三角形、四角形、その他の多角形としてもよい。
【００２１】
これらベアリング３４、及び鍔部３８ｂとフランジ２５の内側面２５ｃとは、印画紙を送り出すときにフランジ２５に対して印画紙ロール２３のみを回転させ、また巻き戻すときには印画紙ロール２３とともにフランジ２５を回転させる連結手段を構成する。なお、連結手段としては、フランジ２５と巻芯用軸受け部３８とを一体に設け、印画紙ロール２３と巻芯用軸受け部３８との間に周知の一方向クラッチを取り付けて構成してもよい。
【００２２】
図４及び図５に示すように、印画紙ロール２３は、巻芯２３ａに印画紙３９を巻回し、その印画紙３９の外周をポリエチレンテレフタレート等の材料で形成したシート状の遮光部材４０で覆った形態となっている。遮光部材４０は、リーダー用遮光部材４１と、両側面用遮光部材４２，４３とからなる。リーダー用遮光部材４１は、長尺シートとなっており、後端４１ｂを印画紙３９の最外周先端３９ａに接合した状態で印画紙３９の最外周を覆う。リーダー用遮光部材４１には、先端４１ａを引き出し用のタブとして使用するため、その長さ分残してそれ以降の幅方向の両側に、左及び右側面用遮光部材４２，４３がそれぞれ接合されている。左及び右側面用遮光部材４２，４３は、接合側とは逆端が巻芯２３ａの開口の内部に接合され、印画紙３９の周面部の端から巻芯２３ａの開口に至る両側面を覆う。
【００２３】
リーダー用遮光部材４１と両側面用遮光部材４２，４３との接合部は、容易に破断することができるようになっている。印画紙３９は、リーダー用遮光部材４１の先端４１ａを引っ張ることで続いて引き出される。リーダー用遮光部材４１は、印画紙３９の先端３９ａが出入り口３１から引き出された後に切り取られる。両側面用遮光部材４２，４３は、印画紙ロール２３とフランジ２４，２５との間に残される。
【００２４】
図６に示すように、一方のフランジ２４には、巻き戻し時に印画紙３９を巻き取るための巻き掛け棒４５が設けられている。巻き掛け棒４５は、印画紙ロール２３を挟装する面の周縁に突出して設けられており、一定間隔離して複数配列されている。巻き掛け棒４５の突出長さは、印画紙３９の幅長さよりも短く、且つ印画紙３９を受けるのに必要な長さとなっている。本実施形態では、巻き掛け棒４５を２２．５度のピッチごとに１６本設けている。また、巻き掛け棒４５は、フランジ２４に着脱自在に取り付けられており、印画紙３９の幅に応じた長さのものに交換することができる。さらに、巻き掛け棒４５は、印画紙に接触しても回転して印画紙に傷が付かないように、フランジ２４に固着される取り付けネジに対して回転自在となっている。なお、本発明では、巻き掛け棒４５の配列を前記ピッチに限定することはない。また、本発明では、巻き掛け棒４５を一方のフランジ２４に取り付けているが、片方に限定することなく、両方のフランジ２４，２５に巻き掛け棒４５を設けてもよい。
【００２５】
図７に示すように、フランジ２４には、左軸２７が挿通される。左軸２７には、ギヤ４７が設けられている。このギヤ４７には、本体部２１にセットしたときに、本体部２１の内部に設けられた第１の中間ギヤ４８が噛合する。第１の中間ギヤ４８は、本体部２１の内部に配置された第２の中間ギヤ４９に噛合している。第２の中間ギヤ４９は、本体部２１の外に露呈して配置された入力ギヤ５０と同じ軸５１に取り付けられており、入力ギヤ５０と一緒に回転する。
【００２６】
入力ギヤ５０には、マガジン２０をプリンタプロセッサにセットしたときに、そのプロセッサの内部に設けた遊星歯車５２が噛合する。遊星歯車５２は、入力ギヤ５０に噛合する噛合位置と噛合が解除される噛合解除位置との間で太陽歯車５３に対して公転する。太陽歯車５３には、搬送用モータ５４の駆動が伝達される。搬送用モータ５４は、印画紙３９をマガジン２０から送り出すときに正転し、巻き戻すときに逆転する。太陽歯車５３は、搬送用モータ５４の正転駆動が伝達されることで遊星歯車５２を噛合解除位置に公転させ、また、逆転駆動が伝達されることで遊星歯車５２を噛合位置に公転させる。すなわち、これら遊星歯車５２と太陽歯車５３とは、クラッチの作用をなし、搬送用モータ５４の正転駆動が伝達されたときにフランジ２４，２５を回転させず、逆転駆動が伝達されたときにフランジ２４，２５を印画紙３９の巻き戻し方向に回転させる。
【００２７】
図８に示すように、プリンタプロセッサ６０には、外部に開閉蓋６１が設けられており、開閉蓋６１の奥にマガジン２０がセットされる装填室６２が設けられている。また、装填室６２の下には、マガジン着脱操作用のハンドル６３が外部に露呈して設けられている。ハンドル６３は、セット位置とセット解除位置との間で操作される。セット位置に操作すると、マガジン２０が装填室６２の内部で印画紙３９を送り出す方向（同図に示す矢印方向）に向けて移動され、所定位置に位置決めされる。セット解除位置に操作すると、マガジンが前記矢印方向とは逆に移動され、位置決めが解除される。
【００２８】
装填室６２には、位置決めされたときに出入り口３１が入り込む開口６４が設けられている。出入り口３１には中央に切り欠き部６５，６６（図１参照）が設けられており、この切り欠き部６５，６６には開口６４の奥に設けられたフィードローラ対６７が入り込む。フィードローラ対６７は、上及び下ローラ６７ａ，６７ｂとで構成されている。上ローラ６７ａは、ハンドル６３の操作に応じて、下ローラ６７ｂとの間で印画紙３９をニップするニップ位置とニップを解除するニップ解除位置とに移動するようになっている。そして下ローラ６７ｂには搬送用モータ５４の駆動が入力される。
【００２９】
印画紙３９を送り出すときには、搬送用モータ５４を正転駆動させる。この駆動により遊星歯車５２が噛合解除位置に移動するため、その駆動がフランジ２４，２５には伝達されることはない。なお、図８では、遊星歯車５２と太陽歯車５３とをクラッチ６８として示している。
【００３０】
フィードローラ対６７の回転により印画紙３９を送り出すときには、支持軸２６が回転せず、フリーとなる。このとき、印画紙３９は、フィードローラ対６７と印画紙ロール２３との間が巻き掛け棒４５の間を通っているため、巻き掛け棒４５が印画紙３９に当接してフランジ２４の回転が止められるが、支持軸２６とともに印画紙ロール２３がフランジ２４に対して回転するため、継続して印画紙３９の引き出しが行える。印画紙３９を巻き戻すときには、搬送用モータ５４を逆転し、この駆動により遊星歯車５２が噛合位置に公転するから、フィードローラ対６７に加えて支持軸２６にも伝達され、支持軸２６の回転が摩擦係合によりフランジ２４，２５に伝達され、支持軸２６とともにフランジ２４，２５が巻き戻し方向に一緒に回転する。
【００３１】
印画紙３９の送り出し方向に対してフィードローラ対６７の下流側には、印画紙３９の先端を検知する先端センサ６９が配置されている。印画紙３９を巻き戻すときには、先端センサ６９からの信号を監視する。そして、先端センサ６９が印画紙３９の先端を検知することに応答して搬送用モータ５４の逆転駆動を停止する。
【００３２】
プロセッサ６０内に送り込まれた印画紙３９は、露光部７０、カッタ部７１、及び現像処理部７２を経由して外部に送り出される。露光部７０では、現像済みのフイルムの各コマの画像を印画紙３９に焼き付ける。現像処理部７２では、露光部７０で露光された印画紙３９が現像処理される。カッタ部７１は、露光部と未露光部との間の境界を切断して各露光範囲毎に印画紙３９を切り離す。なお、露光部７０、カッタ部７１、及び現像処理部７２には、印画紙３９の送り出し方向の上流に、搬送ローラ対７３〜７５がそれぞれ設けられている。搬送ローラ対７３〜７５は、各モータ７６〜７８の駆動により回転する。このうち、露光部７０及びカッタ部７１に印画紙３９を搬送するための搬送ローラ対７３，７４は、ニップ位置とニップ解除位置とに移動自在となっており、印画紙３９を巻き戻すときにニップ解除位置に移動される。
【００３３】
次に、上記構成の作用を簡単に説明する。印画紙ロール２３をマガジン本体２０ａにセットする前に、フランジ２４，２５と巻芯用軸受け部３７，３８とをそれぞれ取り付けておく。次に、巻芯２３ａの開口に右及び左軸２７，２８を巻き芯軸受け部３７，３８を介してそれぞれ挿入する。そして、印画紙３９の幅に合わせて左右軸２７，２８に対するフランジ２４，２５の固定位置をそれぞれ調節する。調節は、印画紙３９の幅方向の中心が支持軸２６の軸方向の中心に合うように行う。これにより、巻芯用軸受け部３７，３８は、巻芯２３ａの両開口の内周に嵌合して印画紙ロール２３を支持する。このとき、印画紙ロール２３は、一対のフランジ２４，２５の間で、且つ複数の巻き掛け棒４５の内側に配される。
【００３４】
印画紙ロール２３は、支持軸２６の両端を軸受け部３２，３３に挿入することで本体部２１に収納される。その後、リーダー用遮光部材４１の先端４１ａを、出入り口３１に近い巻き掛け棒４５の間を通して出入り口３１に向けて引き出す。これにより、リーダー用遮光部材４１は、両側面用遮光部材４２，４３との接合部で切り取られながら引き出される。
【００３５】
リーダー用遮光部材４１の先端４１ａが出入り口３１から外部に僅かに露呈した時点でその遮光部材４１の引き出し操作をいったん止める。このとき、残りのリーダー用遮光部材４１は、未だ印画紙ロール２３の外周を覆った状態となっている。その後、蓋２２を閉め、バックル３５，３６でロックする。これにより、マガジン本体２０ａの内部が遮光状態となる。その後、出入り口３１から露呈したリーダー用遮光部材４１の先端４１ａを持って再び引き出す。このとき、巻き掛け棒４５が印画紙３９に当接してフランジ２４の回転が止められる。巻き掛け棒４５は、フランジ２４への取り付けネジに対して印画紙３９の送り出しに従動して回転するから擦り傷などの発生が抑えられる。
【００３６】
引き出しを継続していくと、リーダー用遮光部材４１に引き続いて印画紙３９が引き出される。印画紙３９が出入り口３１から僅かに露呈した時点で引き出し操作を止め、その後に出入り口３１の外で切り取ることでリーダー用遮光部材４１を除去することができる。これにより、マガジン２０への印画紙ロール２３の装填が完了する。
【００３７】
マガジン２０をプリンタプロセッサ６０に装填する作業は、開閉蓋６１を開け、マガジン２０を装填した後に、ハンドル６３をセット位置に操作する。この操作によりマガジン２０が図６に示す矢印方向に移動され、所定位置に位置決めされる。これにより、出入り口３１が開口６４内に入り込み、出入り口３１の切り欠き部６５，６６にフィードローラ対６７が入り込む。フィードローラ対６７は、ニップ解除位置となっており、ハンドル６３のセット位置への操作中にニップ位置に移動して切り欠き部６５，６６に露呈された印画紙３９の先端をニップする。
【００３８】
開閉蓋６１を閉じることに応答して印画紙送り出し動作が行われる。この動作は、搬送用モータ５４、及びモータ７６〜７８が正転駆動される。搬送用モータ５４の駆動はフィードローラ対６７に伝達される。フィードローラ対６７が回転すると、図９に示すように、フランジ２４に対して印画紙ロール２３が回転しながら印画紙３９が引き出される。引き出された印画紙３９は、搬送ローラ対７３を通過したときにそのローラ対７３がニップ位置に移動され、その後は搬送ローラ対７３で露光部７０に送られる。印画紙３９が露光部７０に送られると、搬送用モータ５４及びモータ７６〜７８の駆動が停止される。これにより焼き付け作業の準備が完了する。なお、図８に示すフィードローラ対６７と搬送ローラ対７３との間には、両者の送り速度の差を吸収するためのペーパーリザーバが配置されている。
【００３９】
プロセッサ６０には、フイルムキャリアが取り付けられており、フイルムキャリアには現像済みの写真フイルムがセットされる。プリント指示を操作することで、露光部７０が写真フイルムの撮影コマを測光して、得られた測光値から焼き付け露光量を算出する。この露光量に応じてフイルムキャリアと光源との間の光路内に出入り自在に設けられたイエロー、シアン、及びマゼンダフィルタのセット位置がそれぞれ調節され、調節後にシャッタが作動する。これにより、光源から放たれ、フィルタと拡散ボックスとを通って撮影コマを透過した光が、焼き付けレンズによって印画紙３９に結像される。焼き付け露光が完了した後には、搬送用モータ５４及びモータ７６が正転駆動され、印画紙３９が１コマ分の長さだけ送り出される。このようにしてネガフイルムの撮影コマを印画紙３９に順次に焼き付けていく。焼き付け後の印画紙３９は、現像処理部７２に向けて送られる。このとき、各搬送ローラ対７４，７５は、印画紙３９の先端が通過することに応答してニップ位置に移動する。
【００４０】
写真フイルムに対して全コマの焼き付けが全て完了すると、搬送用モータ５４及びモータ７６〜７８を正転駆動して印画紙３９を送り出し、印画紙３９の最後の露光部と未露光部との境界をカッタ部７１に送る。露光部と未露光部との境界がカッタ部７１に到達すると、搬送用モータ５４及びモータ７６〜７８を停止する。そしてカッタ部７１を作動して前記境界で切断する。その後、モータ７８が正転駆動され、露光済みの印画紙３９が現像処理部７２に送られる。送り出された印画紙３９は、現像処理部７２で現像処理された後にプロセッサ６０の外部に排出される。
【００４１】
残された未露光の印画紙３９は、マガジン２０に巻き戻される。この処理は、まず、搬送ローラ対７３，７４をニップ解除位置に移動させ、その後に搬送用モータ５４を逆転駆動する。この駆動によりフィードローラ対６７が印画紙３９の巻き戻し方向に回転するとともに、遊星歯車５２が噛合位置に公転するため支持軸２６に回転が伝達される。支持軸２６が回転すると摩擦係合によりフランジ２４，２５も印画紙３９を巻き戻す方向に回転する。フランジ２４，２５が巻き戻し方向に回転すると、図１０及び図１１に示すように、印画紙３９が複数の巻き掛け軸４５の上に巻かれてゆく。これにより、巻き戻される印画紙３９が両側面用遮光部材４２，４３に擦れるのを未然に防止することができる。また、ロール径に係わらず巻き戻される印画紙３９の両端がフランジ２４，２５に擦れる範囲も少なくて済むから、巻き戻した印画紙３９の両端へのダメージを極力抑えることができる。しかも巻き掛け棒４５自身がローラの作用をなすから、巻き戻し印画紙３９へのダメージを極力抑えることができる。
【００４２】
搬送用モータ５４の逆転駆動は、先端センサ６９が印画紙３９の先端を検知した時点で停止される。停止後には、巻き戻された印画紙３９の先端をフィードローラ対６７でニップした状態で残りの巻き戻し印画紙３９がマガジン２０内に収納されて遮光された状態となる。これにより、次回のプリント準備が整う。
【００４３】
なお、印画紙３９の幅に応じて調節可能なように、巻き掛け棒４５をロッドアンテナのように伸び縮みするように構成してもよい。また、巻き掛け棒４５としては、断面円状に限らず、例えば断面板状や断面カマボコ状としてもよい。さらに、巻き掛け棒４５を一方のフランジ２４に設けているが、両方のフランジ２４，２５から対向するように設けてもよい。さらにまた、両方のフランジ２４，２５から交互に向き合うように設けてもよい。
【００４４】
また、図１２に示すように、巻き掛け棒をローラ９１としてもよい。ローラ９１は、フランジ２４に固定して設けた軸９２に対して回転自在に取り付けられている。ローラ９１の外周は、テーパ面９０になっている。テーパ面９０としては、フランジ２４側が大径、一対のフランジ２４、２５の間が小径となるテーパ形状にすれば、印画紙３９の端３９ｂがフランジ２４、２５に接触して傷が付くことを防止することがでる。また、テーパ付きの巻き掛けローラ９１を用い、前記ローラ９１の両エッジ９１ａ，９１ｂのうちのフランジ２４側のエッジ９１ａをフランジ２４の断面輪郭内に納める構造にすることで、同図に示すように、ローラ９１の両エッジ９１ａ、９１ｂが印画紙３９の面に接触しないから、印画紙３９の面に傷が付くことを防止することができる。
【００４５】
さらに、巻き掛け部材としては、棒形状に限定することなく、図１３に示すように、外面がフランジ２４の周縁に沿う円弧面９３をもった円弧状突起９４としてもよい。円弧状突起９４としては、内部に印画紙ロール２３が収納することができるように、断面円弧状に形成するのが望ましい。円弧状突起９４は、印画紙ロール２３の外周に突出するように一方のフランジ２４に固着されており、また、一部を切り欠いて形成した引き出し口９５をもっている。リーダー用遮光部材４１の先端４１ａ又は印画紙３９の先端３９ａは、それらの引き出し口９５のうちのいずれか一方から引き出される。引き出し口９５としては、円弧状突起９４の周方向のうちの一カ所に限らず、同図に示すように２カ所に設けてもよいし、３カ所以上設けてもよい。この場合、引き出し口９５の両側にガイド棒９６をそれぞれ配置することで、引き出し口９５の両縁に印画紙３９が接触して印画紙３９に傷を付けることを防止することができる。また、ガイド棒９６を長くしてその先端を他方のフランジ２５に係合させることで、互いのフランジ２４，２５の回転を同期させるようにしてもよい。
【００４６】
図１３では、印画紙巻き掛け用の円弧状突起を一方のフランジのみに設けた実施形態として説明しているが、本発明ではこれに限らず、図１４及び図１５に示すように、円弧状突起をフランジ２４の周方向に沿って分断し、これら分断した左円弧状突起１００及び右円弧状突起１０１を各フランジ１０２，１０３にそれぞれ設けてもよい。これら左・右円弧状突起１００，１０１は、フランジ１０２，１０３の回転軸を中心とする周に沿った円弧面を外周にもち、かつ各フランジ１０２，１０３から対向するように突出して設けられている。これら左・右円弧状突起１００，１０１で印画紙巻き掛け用の円弧状突起１０４が構成される。左・右円弧状突起１００，１０１の突出長さは、フランジ１０２，１０３の間隔が印画紙ロール２３の幅に合わされるため、最も幅の狭い印画紙ロール２３をセットしたときに互いの突出先端が最も近寄る長さで形成する。このようにしておけば、幅の広い印画紙ロール２３をセットしたときにも、左・右円弧状突起１００，１０１がその印画紙の幅方向の両縁を下方から確実に支えることができる。
【００４７】
また、各左・右円弧状突起１００，１０１には、周方向のうちの対向する２カ所の位置に左・右第１切り欠き部１０５〜１０８がそれぞれ形成されている。このうち左第１切り欠き部１０５と右第１切り欠き部１０７とが引き出し口１０９を、また左第１切り欠き部１０６と右第１切り欠き部１０８とが引き出し口１１０をそれぞれ構成する。リーダー用遮光部材４１の先端４１ａ又は印画紙３９の先端３９ａは、それらの引き出し口１０９，１１０のうちのいずれか一方から引き出される。
【００４８】
各引き出し口１０９，１１０の両側には、印画紙３９に傷を付けることのないよう、一方のフランジ１０２に固定したガイド棒１１１〜１１４が配置されている。各ガイド棒１１１〜１１４は、突出長さが長くなっており、他方のフランジ１０３に設けた穴１１５〜１１８に挿通される。各ガイド棒１１１〜１１４の突出長さは、最も幅広の印画紙ロール２３をセットしたときに、相手側のフランジ２４の穴１１５〜１１８に挿通することができる長さとなっている。これらガイド棒１１１〜１１４で互いのフランジ１０２，１０３の回転が周方向にずれることのないように同期するため、引き出し口１０９，１１０を構成する左・右第１切り欠き部１０５〜１０８が相反する方向にずれて印画紙３９を挟み込む等の不都合を確実に防止することができる。
【００４９】
また、各左・右円弧状突起１００，１０１には、周方向のうちの引き出し口１０９，１１０とは異なる位置に、左・右第２切り欠き部１２０〜１２３がそれぞれ形成されている。左・右第２切り欠き部１２０〜１２３は、フランジ１０２，１０３を対向して配することで、印画紙ロール２３をセットする作業のときに手が挟まれないようにするための逃げ開口１２４，１２５を構成する。なお、この実施形態では、逃げ開口１２４，１２５は、引き出し口１０９，１１０に対して約９０度ずれた２カ所の位置に対向して設けられている。
【００５０】
図１４及び図１５で説明した実施形態の作用を説明する。印画紙送り出し動作により、図１６に示すように、フランジ１０２，１０３とともに印画紙ロール２３が回転しながら印画紙３９が引き出され、出入り口３１に向かう印画紙３９にガイド棒１１１が当接した後にはフランジ１０２，１０３の回転が止められるため、その後はフランジ１０２，１０３に対して印画紙ロール２３のみが回転して印画紙３９が引き出される。
【００５１】
焼き付け及び現像処理の全てが完了すると、残された未露光の印画紙３９をマガジン２０に巻き戻す。このとき、支持軸２６が逆転してフランジ１０２，１０３が印画紙３９を巻き戻す方向に回転する。フランジ１０２，１０３が巻き戻し方向に回転すると、図１７に示すように、印画紙３９がガイド棒１１２、及び左・右円弧状突起１００，１０１の円弧面の上に順に巻かれてゆく。これにより、印画紙３９が両側面用遮光部材４２，４３に擦れて印画紙３９にダメージを与えることを未然に防止することができる。
【００５２】
【発明の効果】
以上説明したように本発明によれば、フランジに巻き掛け部材を設けたから、巻き戻される感光材料を、ロール状の感光材料の外周で別々に巻回することができ、よって、巻き戻しのときに感光材料の幅方向の両端がフランジや両側面用遮光部材などに擦れて皺や傷等が生じるのを確実に防止することができる。
【図面の簡単な説明】
【図１】本発明の一実施例である感光材料用マガジンの概略を示した分解斜視図である。
【図２】フランジと巻芯用軸受け部とを示した斜視図である。
【図３】フランジと巻き芯用軸受け部との取り付けを示した要部拡大断面図である。
【図４】遮光部材で覆われたロール状の感光材料の外観を示す斜視図である。
【図５】遮光部材を展開した状態の感光材料を示す分解斜視図である。
【図６】巻き掛け棒を設けたフランジを示す斜視図である。
【図７】感光材料を巻き戻すときにフランジを巻き取り方向に回転させる機構を示す斜視図である。
【図８】本発明の感光材料用マガジンを用いるプリンタプロセッサの概略を示す説明図である。
【図９】感光材料を送り出す時のマガジン内部の状態を示す説明図である。
【図１０】感光材料を巻き戻す時のマガジン内部の状態を示す説明図である。
【図１１】巻き戻した状態のマガジン内部の要部を示す断面図である。
【図１２】巻き掛け棒の外周をテーパ面にした別の例を示す説明図である。
【図１３】巻き掛け部材を印画紙巻き掛け用の円弧状突起とした他の例を示す斜視図である。
【図１４】印画紙巻き掛け用の円弧状突起を左右に分断して一つのフランジにそれぞれ設けた例を示す分解斜視図である。
【図１５】印画紙ロールを図１４で説明したフランジにセットした状態を示す斜視図である。
【図１６】図１４及び図１５で説明した感光材料を送り出す時のマガジン内部の状態を示す説明図である。
【図１７】図１４及び図１５で説明した感光材料を巻き戻す時のマガジン内部の状態を示す説明図である。
【図１８】従来技術で説明した感光材料用マガジンを示す断面図である。
【符号の説明】
２０  感光材料用マガジン
２０ａ  マガジン本体
２３  印画紙
２４，２５  フランジ
２６  支持軸
３１  出入り口
３９  印画紙
４０  遮光部材
４５  巻き掛け棒
６０  プリンタプロセッサ
９４，１０４  円弧状突起
９６，１１１〜１１４  ガイド棒
【図１】
0003827204.tif 000002
【図２】
0003827204.tif 000003
【図３】
0003827204.tif 000004
【図４】
0003827204.tif 000005
【図５】
0003827204.tif 000006
【図６】
0003827204.tif 000007
【図７】
0003827204.tif 000008
【図８】
0003827204.tif 000009
【図９】
0003827204.tif 000010
【図１０】
0003827204.tif 000011
【図１１】
0003827204.tif 000012
【図１２】
0003827204.tif 000013
【図１３】
0003827204.tif 000014
【図１４】
0003827204.tif 000015
【図１５】
0003827204.tif 000016
【図１６】
0003827204.tif 000017
【図１７】
0003827204.tif 000018
【図１８】
0003827204.tif 000019